(57)【要約】【課題】  表示部に表示された被写体の画像を見ながら被写体の撮影範囲を調節でき、且つ第１、第２ケースをワンタッチ操作で開閉できる。【解決手段】  第１、第２ケース１、２を回転可能に取り付ける回転軸３内にズーム機能を有する撮影部４をその撮影方向を表示部５の表示面と反対側に向けて設け、この撮影部４をモータの駆動回転によって回転軸３の軸方向に沿ってズーム移動させるので、表示部５に表示された被写体の画像を見ながら被写体の撮影範囲を調節して所望する大きさの被写体の画像を得ることができる。また、操作スイッチ８の操作に応答してモータの駆動回転を回転伝達部が第２ケース２に伝達して回転軸３を中心に第２ケース２を第１ケース１に対し相対的に回転させるので、第１、第２ケース１、２を相対的に回転させるための専用駆動源を必要とせず、第１、第２ケース１、２をワンタッチ操作で簡単に且つ自動的に開閉することができる。【選択図】      図４
2005043710.tif 000002
【特許請求の範囲】
【請求項１】
表示部を有する第１ケースと、
キー入力部を有する第２ケースと、
前記第１、第２ケースを開閉可能に連結する連結部と、
ズーム機能部を有する撮影部と、
前記第１、第２ケースの一方に設けられた外部操作子とを備え、
前記第１、第２ケースを開いた状態で、前記外部操作子を操作すると、前記表示部の表示面と反対方向に向けて前記撮影部の前記ズーム機能部がズーム移動することを特徴とする携帯型電子機器。
【請求項２】
表示部を有する第１ケースとキー入力部を有する第２ケースとが回転軸によって回転可能に取り付けられた携帯型電子機器において、
撮影方向を前記表示部の表示面と反対側に向けてズーム移動するズーム機能部を有する撮影部と、
この撮影部の前記ズーム機能部をズーム移動させるモータ部と、
前記第１、第２ケースの一方に設けられた外部操作子と、
この外部操作子の操作に応答して前記モータ部の駆動回転を前記第１、第２ケースの一方に伝達させ、前記回転軸を中心に前記第１、第２ケースを相対的に回転させる回転伝達部と
を備えたことを特徴とする携帯型電子機器。
【請求項３】
表示部を有する第１ケースとキー入力部を有する第２ケースとが回転軸により互いに対向する前記第１、第２ケースの各面方向に沿って回転可能に取り付けられた携帯型電子機器において、
前記回転軸内に撮影方向を前記表示部の表示面と反対側に向けて設けられたズーム機能部を有する撮影部と、
この撮影部を前記回転軸の軸方向に沿ってズーム移動させるモータ部と、
前記第１、第２ケースの一方に設けられた外部操作子と、
この外部操作子の操作に応答して前記モータ部の駆動回転を前記第１、第２ケースの一方に伝達させ、前記回転軸を中心に前記第１、第２ケースを相対的に回転させる回転伝達部と
を備えたことを特徴とする携帯型電子機器。
【請求項４】
前記第１、第２ケースの相対的な回転角度を検出する検出手段と、
この検出手段で検出された検出信号に基づいて前記表示部の表示形態を制御する制御手段と
を備えたことを特徴とする請求項１〜３のいずれかに記載の携帯型電子機器。
【請求項５】
前記回転伝達部は、前記外部操作子の操作に応じて、前記モータ部の駆動回転を前記第１、第２ケースの一方と前記撮影部の前記ズーム機能部とのいずれか一方に伝達する伝達切替手段を備えていることを特徴とする請求項２〜４のいずれかに記載の携帯型電子機器。
【請求項６】
前記外部操作子は、半分押された第１状態のときに前記第１、第２ケースを開閉動作させ、完全に押し込まれた第２状態のときに前記撮影部の前記ズーム機能部をズーム動作させることを特徴とする請求項１〜５のいずれかに記載の携帯型電子機器。
【請求項７】
前記外部操作子は、半分押された前記第１状態のときに、前記第１、第２ケースを開閉動作させるの同時に、前記第１、第２ケースの相対的な回転角度に応じて前記制御手段が前記表示部の表示形態を制御することを特徴とする請求項６に記載の携帯型電子機器。
【請求項８】
前記表示部は前記第１、第２ケースを互いに重ね合わせた状態で外部に露出する前記第１ケースの外表面に設けられ、
前記キー入力部は前記表示部と同じ方向を向いて前記第２ケースに設けられている
ことを特徴する請求項３〜７のいずれかに記載の携帯型電子機器。
【請求項９】
前記外部操作子は、前記第１ケースの前記表示部と同じ外表面に設けられていることを特徴とする請求項３〜８のいずれかに記載の携帯型電子機器。
【請求項１０】
前記撮影部を構成する撮像素子は前記第1ケース側に固定されていることを特徴とする請求項１〜９のいずれかに記載の携帯型電子機器。
【請求項１１】
表示部を有する第１ケースと、
前記表示部が設けられている側と同じ側にキー入力部を有する第２ケースと、
前記第１、第２ケースを開閉可能に連結する連結部と、
ズーム機能部を有する撮影部と、
前記第１、第２ケースの一方に設けられた外部操作子とを備え、
前記連結部を開閉中心として前記第１、第２ケースを開いた状態で、前記外部操作子を操作すると、前記表示部の表示面と反対方向に向けて前記撮影部の前記ズーム機能部がズーム移動することを特徴とする携帯型電子機器。
【請求項１２】
表示部を有する第１ケースと前記表示部が設けられている側と同じ側にキー入力部を有する第２ケースとが前記表示部の表示面および前記キー入力部の入力面と直交する方向に向けて設けられている回転軸を回転中心として回転可能に取り付けられた携帯型電子機器において、
前記回転軸内に当該回転軸の長手方向に向けてズーム移動するためのズーム機能部を有する撮影部を設けるとともに、この撮影部の前記ズーム機能部をズーム移動させるためのモータ部を設けたことを特徴とする携帯型電子機器。
【請求項１３】
表示部を有する第１ケースと前記表示部が設けられている側と同じ側にキー入力部を有する第２ケースとが回転軸により互いに対向する前記第１、第２ケースの各面方向に沿って回転可能に取り付けられた携帯型電子機器において、
前記回転軸内に撮影方向を前記表示部の表示面と反対側に向けて設けられたズーム機能部を有する撮影部と、
この撮影部を前記回転軸の軸方向に沿ってズーム移動させるモータ部と、
前記第１、第２ケースの一方に設けられた外部操作子と、
この外部操作子の操作に応答して前記モータ部の駆動回転を前記第１、第２ケースの一方に伝達させ、前記回転軸を中心に前記第１、第２ケースを相対的に回転させる回転伝達部と
を備えたことを特徴とする携帯型電子機器。
【請求項１４】
前記第１、第２ケースの相対的な回転角度を検出する検出手段と、
この検出手段で検出された検出信号に基づいて前記表示部の表示形態を制御する制御手段と
を備えたことを特徴とする請求項１１〜１３のいずれかに記載の携帯型電子機器。
【請求項１５】
前記回転伝達部が、前記外部操作子の操作に応じて、前記モータ部の駆動回転を前記第１、第２ケースの一方と前記撮影部の前記ズーム機能部とのいずれか一方に伝達する伝達切替手段を備えていることを特徴とする請求項１２〜１４のいずれかに記載の携帯型電子機器。
【請求項１６】
前記外部操作子が、半分押された第１状態のときに前記第１、第２ケースを開閉動作させ、完全に押し込まれた第２状態のときに前記撮影部の前記ズーム機能部をズーム動作させることを特徴とする請求項１１〜１５のいずれかに記載の携帯型電子機器。
【請求項１７】
前記外部操作子が、半分押された前記第１状態のときに、前記第１、第２ケースを開閉動作させるの同時に、前記第１、第２ケースの相対的な回転角度に応じて前記制御手段が前記表示部の表示形態を制御することを特徴とする請求項１６に記載の携帯型電子機器。
【請求項１８】
前記表示部が前記第１、第２ケースを互いに重ね合わせた状態で外部に露出する前記第１ケースの外表面に設けられ、
前記キー入力部が前記表示部と同じ方向を向いて前記第２ケースに設けられていることを特徴する請求項１３〜１７のいずれかに記載の携帯型電子機器。
【請求項１９】
前記外部操作子が、前記第１ケースの前記表示部と同じ外表面に設けられていることを特徴とする請求項１３〜１８のいずれかに記載の携帯型電子機器。
【請求項２０】
前記撮影部を構成する撮像素子は前記第1ケース側に固定されていることを特徴とする請求項１１〜１９のいずれかに記載の携帯型電子機器。
【発明の詳細な説明】
【技術分野】
【０００１】
この発明は、携帯電話機や携帯端末機などの携帯型電子機器に関する。
【背景技術】
【０００２】
従来、携帯電話機においては、電話機能を有するほかに、電話機本体に撮影部を設け、この撮影部で被写体の画像を画像データとして取り込む撮影機能を備えたものがある。
このような携帯電話機では、撮影部で被写体を撮影することはできても、撮影部による被写体の撮影範囲が限定されてしまい、所望する大きさの被写体の画像を得ることができないという不都合がある。
【０００３】
このような不都合を改善するために、ズーム機能を有する撮影部を電話機本体に設けた構造のものが開発されている。しかし、このような携帯電話機では、撮影部がズーム機能を有するので、被写体の撮影範囲を調節することにより、例えば遠くに位置する被写体の画像を大きく撮影することはできるが、撮影部が電話機本体の表示部と同じ表面に設けられていると、使用者以外の被写体、例えば風景などの被写体を撮影するときに、表示部に被写体の画像を表示させても、この表示された被写体の画像を見ながら撮影することができないという問題がある。
【特許文献１】特開２００２−２７７７２３号公報
【発明の開示】
【発明が解決しようとする課題】
【０００４】
この発明が解決しようとする第１の問題点は、表示部に表示された被写体の画像を見ながら被写体の撮影範囲を調節できない点である。
また、第２の問題点は、ズーム機能部の駆動源を利用して、第１、第２ケースをワンタッチ操作で自動的に開閉させることができない点である。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１６に示すように、表示部（５）を有する第１ケース（１）と、キー入力部（７）を有する第２ケース（２）と、前記第１、第２ケースを開閉可能に連結する連結部（回転軸３）と、ズーム機能部（ズーム機構部１８、５６）を有する撮影部（４、５５）と、前記第１、第２ケースの一方に設けられた外部操作子（操作スイッチ８、６０）とを備え、
前記第１、第２ケースを開いた状態で、前記外部操作子を操作すると、前記表示部の表示面と反対方向に向けて前記撮影部の前記ズーム機能部がズーム移動することを特徴とする携帯型電子機器である。
【０００６】
請求項２に記載の発明は、図１〜図１６に示すように、表示部（５）を有する第１ケース（１）とキー入力部（７）を有する第２ケース（２）とが回転軸（３）によって回転可能に取り付けられた携帯型電子機器において、
撮影方向を前記表示部の表示面と反対側に向けてズーム移動するズーム機能部（ズーム機構部１８、５６）を有する撮影部（４、５５）と、
この撮影部の前記ズーム機能部をズーム移動させるモータ部（モータ２０）と、
前記第１、第２ケースの一方に設けられた外部操作子（操作スイッチ８、６０）と、
この外部操作子の操作に応答して前記モータ部の駆動回転を前記第１、第２ケースの一方に伝達させ、前記回転軸を中心に前記第１、第２ケースを相対的に回転させる回転伝達部（２３）と
を備えたことを特徴とする携帯型電子機器。
【０００７】
請求項３に記載の発明は、図１〜図１６に示すように、表示部（５）を有する第１ケース（１）とキー入力部（７）を有する第２ケース（２）とが回転軸（３）により互いに対向する前記第１、第２ケースの各面方向に沿って回転可能に取り付けられた携帯型電子機器において、
前記回転軸内に撮影方向を前記表示部の表示面と反対側に向けて設けられたズーム機能部（ズーム機構部１８、５６）を有する撮影部（４、５５）と、
この撮影部を前記回転軸の軸方向に沿ってズーム移動させるモータ部（モータ２０）と、
前記第１、第２ケースの一方に設けられた外部操作子（操作スイッチ８、６０）と、
この外部操作子の操作に応答して前記モータ部の駆動回転を前記第１、第２ケースの一方に伝達させ、前記回転軸を中心に前記第１、第２ケースを相対的に回転させる回転伝達部（２３）と
を備えたことを特徴とする携帯型電子機器である。
【０００８】
請求項４に記載の発明は、図１〜図１３に示すように、前記第１、第２ケース（１、２）の相対的な回転角度を検出する検出手段（光センサ部３９）と、
この検出手段で検出された検出信号に基づいて前記表示部（５）の表示形態を制御する制御手段（ＣＰＵ４５）と
を備えたことを特徴とする請求項１〜３のいずれかに記載の携帯型電子機器である。
【０００９】
請求項５に記載の発明は、図９〜図１５に示すように、前記回転伝達部（２３）が、前記外部操作子（操作スイッチ８、６０）の操作に応じて、前記モータ部（モータ２０）の駆動回転を前記第１、第２ケース（１、２）の一方と前記撮影部（４、５５）の前記ズーム機能部（ズーム機構部１８、５６）とのいずれか一方に伝達する伝達切替手段（切替レバー２７）を備えていることを特徴とする請求項２〜４のいずれかに記載の携帯型電子機器。
【００１０】
請求項６に記載の発明は、図１〜図１６に示すように、前記外部操作子（操作スイッチ８、６０）が、半分押された第１状態のときに前記第１、第２ケース（１、２）を開閉動作させ、完全に押し込まれた第２状態のときに前記撮影部（４、５５）の前記ズーム機能部（ズーム機構部１８、５６）をズーム動作させることを特徴とする請求項１〜５のいずれかに記載の携帯型電子機器である。
【００１１】
請求項７に記載の発明は、図１〜図１６に示すように、前記外部操作子（操作スイッチ８、６０）が、半分押された前記第１状態のときに、前記第１、第２ケース（１、２）を開閉動作させるの同時に、前記第１、第２ケースの相対的な回転角度に応じて前記制御手段（ＣＰＵ４５）が前記表示部（５）の表示形態を制御することを特徴とする請求項６に記載の携帯型電子機器である。
【００１２】
請求項８に記載の発明は、図１〜図１６に示すように、前記表示部（５）が前記第１、第２ケース（１、２）を互いに重ね合わせた状態で外部に露出する前記第１ケースの外表面に設けられ、
前記キー入力部（７）が前記表示部と同じ方向を向いて前記第２ケースに設けられていることを特徴する請求項３〜７のいずれかに記載の携帯型電子機器である。
【００１３】
請求項９に記載の発明は、図１６に示すように、前記外部操作子（操作スイッチ６０）が、前記第１ケース（１）の前記表示部（５）と同じ外表面に設けられていることを特徴とする請求項３〜８のいずれかに記載の携帯型電子機器である。
【００１４】
請求項１０に記載の発明は、図６に示すように、前記撮影部（４、５５）を構成する撮像素子（１７）は前記第1ケース側に固定されていることを特徴とする請求項１〜９のいずれかに記載の携帯型電子機器である。
【００１５】
請求項１１に記載の発明は、図１〜図１６に示すように、表示部（５）を有する第１ケース（１）と、前記表示部が設けられている側と同じ側にキー入力部（７）を有する第２ケース（２）と、前記第１、第２ケースを開閉可能に連結する連結部（回転軸３）と、ズーム機能部（ズーム機構部１８、５６）を有する撮影部（４、５５）と、前記第１、第２ケースの一方に設けられた外部操作子（操作スイッチ８、６０）とを備え、
前記連結部を開閉中心として前記第１、第２ケースを開いた状態で、前記外部操作子を操作すると、前記表示部の表示面と反対方向に向けて前記撮影部の前記ズーム機能部がズーム移動することを特徴とする携帯型電子機器である。
【００１６】
請求項１２に記載の発明は、図１〜図１６に示すように、表示部（５）を有する第１ケース（１）と前記表示部が設けられている側と同じ側にキー入力部（７）を有する第２ケース（２）とが前記表示部の表示面および前記キー入力部の入力面と直交する方向に向けて設けられている回転軸（３）を回転中心として回転可能に取り付けられた携帯型電子機器において、
前記回転軸内に当該回転軸の長手方向に向けてズーム移動するためのズーム機能部（ズーム機構部１８、５６）を有する撮影部（４、５５）を設けるとともに、この撮影部の前記ズーム機能部をズーム移動させるためのモータ部（モータ２０）を設けたことを特徴とする携帯型電子機器。
【００１７】
請求項１３に記載の発明は、図１〜図１６に示すように、表示部（５）を有する第１ケース（１）と前記表示部が設けられている側と同じ側にキー入力部（７）を有する第２ケース（２）とが回転軸（３）により互いに対向する前記第１、第２ケースの各面方向に沿って回転可能に取り付けられた携帯型電子機器において、
前記回転軸内に撮影方向を前記表示部の表示面と反対側に向けて設けられたズーム機能部（ズーム機構部１８、５６）を有する撮影部（４、５５）と、
この撮影部を前記回転軸の軸方向に沿ってズーム移動させるモータ部（モータ２０）と、
前記第１、第２ケースの一方に設けられた外部操作子（操作スイッチ８、６０）と、
この外部操作子の操作に応答して前記モータ部の駆動回転を前記第１、第２ケースの一方に伝達させ、前記回転軸を中心に前記第１、第２ケースを相対的に回転させる回転伝達部（２３）と
を備えたことを特徴とする携帯型電子機器である。
【００１８】
請求項１４に記載の発明は、図１〜図１３に示すように、前記第１、第２ケース（１、２）の相対的な回転角度を検出する検出手段（光センサ部３９）と、
この検出手段で検出された検出信号に基づいて前記表示部（５）の表示形態を制御する制御手段（ＣＰＵ４５）と
を備えたことを特徴とする請求項１１〜１３のいずれかに記載の携帯型電子機器である。
【００１９】
請求項１５に記載の発明は、図９〜図１５に示すように、前記回転伝達部（２３）が、前記外部操作子（操作スイッチ８、６０）の操作に応じて、前記モータ部（モータ２０）の駆動回転を前記第１、第２ケース（１、２）の一方と前記撮影部（４、５５）の前記ズーム機能部（ズーム機構部１８、５６）とのいずれか一方に伝達する伝達切替手段（切替レバー２７）を備えていることを特徴とする請求項１２〜１４のいずれかに記載の携帯型電子機器。
【００２０】
請求項１６に記載の発明は、図１〜図１６に示すように、前記外部操作子（操作スイッチ８、６０）が、半分押された第１状態のときに前記第１、第２ケース（１、２）を開閉動作させ、完全に押し込まれた第２状態のときに前記撮影部（４、５５）の前記ズーム機能部（ズーム機構部１８、５６）をズーム動作させることを特徴とする請求項１１〜１５のいずれかに記載の携帯型電子機器である。
【００２１】
請求項７に記載の発明は、図１〜図１６に示すように、前記外部操作子（操作スイッチ８、６０）が、半分押された前記第１状態のときに、前記第１、第２ケース（１、２）を開閉動作させるの同時に、前記第１、第２ケースの相対的な回転角度に応じて前記制御手段（ＣＰＵ４５）が前記表示部（５）の表示形態を制御することを特徴とする請求項１６に記載の携帯型電子機器である。
【００２２】
請求項１８に記載の発明は、図１〜図１６に示すように、前記表示部（５）が前記第１、第２ケース（１、２）を互いに重ね合わせた状態で外部に露出する前記第１ケースの外表面に設けられ、
前記キー入力部（７）が前記表示部と同じ方向を向いて前記第２ケースに設けられていることを特徴する請求項１３〜１７のいずれかに記載の携帯型電子機器である。
【００２３】
請求項１９に記載の発明は、図１６に示すように、前記外部操作子（操作スイッチ６０）が、前記第１ケース（１）の前記表示部（５）と同じ外表面に設けられていることを特徴とする請求項１３〜１８のいずれかに記載の携帯型電子機器である。
【発明の効果】
【００２４】
請求項１に記載の発明によれば、第１、第２ケースを開いた状態で、外部操作子を操作すると、表示部の表示面と反対方向に向けて撮影部のズーム機能部がズーム移動するので、表示部に表示された被写体の画像を見ながら被写体の撮影範囲を調節することができ、これにより所望する大きさの被写体の画像を良好に得ることができる。
また、請求項１１に記載の発明によれば、第１、第２ケースを開いた状態で、表示部が設けられている側と同じ側のキー入力部に対して、表示部に表示される被写体の画像等を見ながらキー入力することができるばかりでなく、外部操作子を操作し、表示部の表示面と反対方向に向けて撮影部のズーム機能部がズーム移動し、このズーム移動に伴って表示部に表示された被写体の画像が拡大または縮小する際に、この拡大または縮小する被写体の画像の拡大・縮小状態を表示部の表示画面を見ながら調節することができる。
【００２５】
請求項２に記載の発明によれば、撮影方向を表示部の表示面と反対側に向けた撮影部のズーム機能部をモータ部によってズーム移動させるので、請求項１に記載の発明と同様、表示部に表示された被写体の画像を見ながら被写体の撮影範囲を調節することができるほか、特に第１、第２ケースの一方に設けられた外部操作子を操作すると、この外部操作子の操作に応答して回転伝達部がモータ部の駆動回転を第１、第２ケースの一方に伝達して回転軸を中心に第１、第２ケースを相対的に回転させるので、第１、第２ケースをワンタッチ操作で簡単に且つ自動的に開閉させることができると共に、ズーム機能部の駆動源を利用しているので、第１、第２ケースを相対的に回転させるための専用駆動源が不要となり、これにより駆動源の数を最小限に抑えることができるので、低コスト化をも図ることができる。また、請求項１２に記載の発明によれば、撮影方向を表示部の表示面と反対側に向けた撮影部のズーム機能部を、回転軸の長手方向に向かってモータ部によってズーム移動させることができるので、請求項１に記載の発明と同様、表示部に表示された被写体の画像を見ながら被写体の撮影範囲を調節することができる。
【００２６】
請求項３に記載の発明によれば、第１、第２ケースを回転可能に取り付ける回転軸内にズーム機能部を有する撮影部をその撮影方向を表示部の表示面と反対側に向けて設け、この撮影部のズーム機能部をモータ部によって回転軸の軸方向に沿ってズーム移動させるので、請求項１に記載の発明と同様、表示部に表示された被写体の画像を見ながら被写体の撮影範囲を調節することができると共に、外部操作子の操作に応答して回転伝達部がモータ部の駆動回転を第１、第２ケースの一方に伝達して回転軸を中心に第１、第２ケースを相対的に回転させるので、請求項２に記載の発明と同様、第１、第２ケースを相対的に回転させるための専用駆動源を必要とせず、第１、第２ケースをワンタッチ操作で簡単に且つ自動的に開閉させることができるほか、特に第１、第２ケースをその各面方向に沿って回動可能に取り付ける回転軸内に、ズーム機能部を有する撮影部をその回転軸の軸方向に沿ってズーム移動可能に設けているので、撮影部がズーム機能部を有していても、この撮像部によって第１ケースの表示部および第２ケースのキー入力部が制約を受けることがなく、表示部およびキー入力部の設置領域を十分に確保することができると共に、機器全体のコンパクト化をも図ることができる。
また、請求項１３に記載の発明によれば、請求項３に記載の発明と同様の効果を奏することができるほかに、第１、第２ケースを開いた状態で、表示部が設けられている側と同じ側のキー入力部に対して、表示部に表示される被写体の画像等を見ながらキー入力することができる。
【００２７】
請求項４および請求項１４に記載の発明によれば、第１、第２ケースの相対的な回転角度を検出する検出手段と、この検出手段で検出された検出信号に基づいて表示部の表示形態を制御する制御手段とを備えているので、外部操作子の操作に応答してモータ部の駆動回転が第１、第２ケースの一方に伝達されて回転軸を中心に第１、第２ケースが相対的に回転するときに、その回転角度を検出手段で検出し、この検出した検出信号に基づいて制御手段が表示部の表示形態を制御することにより、第１、第２ケースの開き角度に応じて表示部の表示状態を縦向表示や横向表示に自動的に変更することができる。例えば、第１、第２ケースが回転軸によって互いに対向する第１、第２ケースの各面方向に沿って回転可能に取り付けられている場合、第１、第２ケースが相対的に９０°回転して開いたときに、表示部に表示される情報を自動的に横向表示にし、第１、第２ケースが相対的に１８０°回転して開いたときに、表示部に表示される情報を自動的に縦向表示にすることにより、第１、第２ケースの開き角度が変化しても、表示部に表示される画像などの情報を見やすくすることができる。
【００２８】
請求項５および請求項１５に記載の発明によれば、回転伝達部が、外部操作子の操作に応じて、モータ部の駆動回転を第１、第２ケースの一方と撮影部のズーム機能部とのいずれか一方に伝達する伝達切替手段を備えているので、この伝達切替手段によってモータ部の駆動回転の伝達経路を容易に切り替えることができ、これによりズーム機能部をズーム動作させるための１つのモータ部で、第１、第２ケースと開閉動作とズーム機能部のズーム動作とをそれぞれ別々に独立して行うことができる。
【００２９】
請求項６および請求項１６に記載の発明によれば、外部操作子が、半分押された第１状態のときに第１、第２ケースを開閉動作させ、完全に押し込まれた第２状態のときに撮影部のズーム機能部をズーム動作させるので、一つの外部操作子で第１、第２ケースの開閉動作とズーム機能部のズーム動作とを選択することができ、これによりワンタッチ操作で第１、第２ケースを開閉させたり、ズーム機能部をズーム動作させたりすることができ、また外部操作子の個数を最小限に抑えることができるので、部品点数の削減および低コスト化をも図ることができる。
【００３０】
請求項７および請求項１７に記載の発明によれば、外部操作子が半分押された第１状態のときに、第１、第２ケースを開閉動作させるの同時に、第１、第２ケースの相対的な回転角度に応じて制御手段が表示部の表示形態を制御するので、ワンタッチ操作で第１、第２ケースを簡単に開閉させることができると共に、第１、第２ケースの開き角度に応じて表示部の表示形態を制御して自動的に縦向表示または横向表示に切り替えることができ、これにより第１、第２ケースの開き角度が変化しても、表示部に表示される画像などの情報を見やすくすることができる。
【００３１】
請求項８および請求項１８に記載の発明によれば、表示部が第１、第２ケースを互いに重ね合わせた状態で外部に露出する第１ケースの外表面に設けられていることにより、第１、第２ケースを相対的に回転させて重ね合わせて閉じた状態でも、また第１、第２ケースを相対的に回転させて開いた状態でも、表示部の表示面を常に外部に露出させることができ、これにより表示部に表示された情報をいつでも自由に見ることができるので、第１、第２ケースを閉じた状態でも開いた状態でも、表示部を見ながら被写体を撮影することができる。また、キー入力部が表示部の表示面と同じ方向を向いて第２ケースに設けられていることにより、第１、第２ケースを互いに面方向に回転させて開いた状態のときに、キー入力部が表示部の表示面と同じ向きに露出するので、表示部を見ながらキー操作をすることができ、また第１、第２ケースを互いに重ね合わせて閉じると、キー入力部の表面に第１ケースが重なって配置されるので、この第１ケースによってキー入力部を保護することができると共に、携帯時におけるキー入力部の誤動作を防ぐことができる。
【００３２】
請求項９および請求項１９に記載の発明によれば、外部操作子が第１ケースの表示部と同じ外表面に設けられていることにより、第１、第２ケースをその面方向に回転させて重ね合わせて閉じた状態でも、また回転軸を中心に第１、第２ケースをその面方向に回転させて開いた状態でも、外部操作子を常に外部に露出させることができ、これにより外部操作子をいつでも自由に操作することができるので、使い勝手が良い。
【００３３】
請求項１０および請求項２０に記載の発明によれば、前記撮影部を構成する撮像素子を前記第1ケース側に固定し、他方、撮影部のズーム機構部を固定されている撮像素子に対してズーム移動させることができる。
【発明を実施するための最良の形態】
【００３４】
この発明の携帯型電子機器は、表示部を有する第１ケースとキー入力部を有する第２ケースとが回転軸によって回転可能に取り付けられた携帯電話機や携帯端末機などであり、表示部に表示された被写体の画像を見ながら被写体の撮影範囲を調節すると共に、ズーム機能部の駆動源を利用して、第１、第２ケースをワンタッチ操作で自動的に開閉させるために、撮影方向を表示部の表示面と反対側に向けてズーム移動するズーム機能部を有する撮影部と、この撮影部のズーム機能部をズーム移動させるモータ部と、第１、第２ケースの一方に設けられた外部操作子と、この外部操作子の操作に応答してモータ部の駆動回転を第１、第２ケースの一方に伝達させて回転軸を中心に第１、第２ケースを相対的に回転させる回転伝達部とを備えている。
【００３５】
この場合、第１、第２ケースの開き角度によって表示部の表示状態を横向表示と縦向表示とに自動的に切り替えて表示を見やすくするために、第１、第２ケースの相対的な回転角度を検出する検出手段と、この検出手段で検出された検出信号に基づいて表示部の表示形態を制御する制御手段とを備えていることが望ましい。また、表示部およびキー入力部の設置領域を十分に確保するために、回転軸は第１、第２ケースを互いに対向する各面方向に沿って回転させるように設けられ、撮影部はその撮影方向を表示部の表示面と反対側に向けて回転軸内に設けられていることが望ましい。さらに、第１、第２ケースを重ね合わせて閉じた状態でも開いた状態でも撮影ができように、表示部は第１、第２ケースを互いに重ね合わせて閉じた状態で外部に露出する第１ケースの外表面に設けられ、キー入力部は表示部の表示面と同じ方向を向いて第２ケースに設けられていることが望ましい。
（第１実施形態）
【００３６】
以下、図１〜図１３を参照して、この発明の携帯型電子機器を携帯電話機に適用した第１実施形態について説明する。
図１はこの発明の携帯電話機を閉じた状態の正面図、図２（Ａ）および図２（Ｂ）は図１の携帯電話機を上方から見た各平面図、図３は図１の背面図、図４は図１の携帯電話機を開いた状態の正面図、図５は図４の背面図である。
この携帯電話機は、電話機能と撮影機能とを有するものであり、図１〜図５に示すように、互いに重なり合う第１ケース１と第２ケース２とを備え、これら第１、第２ケース１、２を円筒状の回転軸３によって互いに対向する第１、第２ケース１、２の各面方向に沿って回転可能に取り付けると共に、この回転軸３内にズーム機能を有する撮影部４を設けた構成になっている。
【００３７】
第１ケース１は、図１〜図３に示すように、ほぼ長方形状に形成され、第２ケース２と重なり合った状態で外部に露出する外表面の正面に表示部５および操作部６が設けられた構成になっている。この場合、表示部５は、液晶表示素子やＥＬ表示素子（エレクトロルミネッセンス表示素子）などの平面型の表示素子からなり、図１に示すように、第１ケース１に沿って細長い長方形状に形成され、電話機能による電話データおよび撮影部４で撮影した画像のデータなどの情報を電気光学的に表示するように構成されている。また、操作部６は、モードを切り替えるためのジォグダイヤル、通話のための通話釦、シフト釦などの各種の釦を備え、回転軸３に対応する個所を中心とする表示部５の片側（図１では右側）に配置されている。
【００３８】
第２ケース２は、図４および図５に示すように、第１ケース１とほぼ同じサイズの大きさに形成され、第１ケース１が重なり合う対向面にキー入力部７が設けられ、図１に示す上辺側の上側面に図２（Ａ）および図２（Ｂ）に示すように操作スイッチ８およびシャッタスイッチ９が設けられているほか、回転軸３側に位置する一側面（図３では左側面）にアンテナ１０がその側方に向けて出没可能に設けられた構成になっている。この場合、キー入力部７は、テンキー、メモキー、マナキーなどの電話機能に必要な各種のキーを備え、図４に示すように、第２ケース２の縦長状態において、各キーが第１ケース１に対向する第２ケース２の対向面に縦向きで配列されている。
【００３９】
また、操作スイッチ８は、図２に示すように、回転軸３の近傍に位置する第２ケース２の上辺側の上側面に設けられ、半分押された第１状態のときに第１、第２ケース１、２を開閉動作させ、完全に押し込まれた第２状態のときに撮影部４のズーム機能を動作させるスイッチ信号を出力するように構成されている。シャッタスイッチ９は、図２に示すように、回転軸３の近傍に位置する第２ケース２の上辺側の上側面に操作スイッチ８と並んで設けられ、押圧操作によって撮影部４で被写体の画像を取り込むスイッチ信号を出力するように構成されている。
【００４０】
回転軸３は、図２および図３に示すように、ほぼ円筒状に形成され、互いに重なり合った第１、第２ケース１、２の一端部側（図２では上端部側）に位置し、第１ケース１の内部から第２ケース２を貫通してその背面側（図２では左側）に露出した状態で、第１、第２ケース１、２に取り付けられている。すなわち、この回転軸３は、第１ケース１側に位置する一端部側（図２では右部側）が第１ケース１内に固定され、第２ケース２側に位置する他端部側（同図では左部側）が第２ケース２に回転可能に取り付けられ、これにより第１、第２ケース１、２が互いに面方向に相対的に回転するように構成されている。
【００４１】
従って、第１、第２ケース１、２は、図１〜図５に示すように、回転軸３を中心に互いに対向する第１、第２ケース１、２の各面方向に沿って相対的に回転することにより、図１〜図３に示すように互いに重なり合って閉じた状態になると共に、図４および図５に２点鎖線または実線で示すように、第１、第２ケース１、２が相対的に所定角度、例えば９０°または１８０°回転して互いに開いた状態になるように構成されている。なお、第１、第２ケース１、２は、回転軸３を介して接続部材（図示せず）によって電気的に接続されている。
【００４２】
撮影部４は、ズーム機能として望遠機能を有するものであり、その撮影方向を第２ケース２の背面側に向けた状態で回転軸３の内部に、その軸方向に沿ってズーム移動可能に設けられている。すなわち、この撮影部４は、図６〜図８に示すように、回転軸３内に同心円状態で固定された円筒状の鏡胴１１と、この鏡胴１１の内部にその軸方向に沿って移動可能に配置された第１、第２レンズ枠１２、１３と、この第１、第２レンズ枠１２、１３にそれぞれ取り付けられた第１、第２レンズ１４、１５と、鏡胴１１内に水晶フィルタ１６ａおよび保護ガラス１６ｂを介して配置されたＣＣＤなどの撮像素子１７と、第１、第２レンズ枠１２、１３を光軸である回転軸３の軸方向に沿って移動させるズーム機構部１８とを備えている。
【００４３】
この場合、撮像素子１７は、鏡胴１１の軸中心つまり回転軸３の軸中心である光軸上に配置され、第１、第２レンズ１４、１５で投影された被写体の画像を電気信号に変換して出力するように構成されている。また、鏡胴１１の外周面には、図６〜図８に示すように、その外面から内面に貫通するスリット状のガイド孔１１ａが回転軸３の軸方向に沿って設けられており、第１、第２レンズ枠１２、１３には、鏡胴１１のガイド孔１１ａに挿入されて鏡胴１１の外周面側に突出し、この状態でガイド孔１１ａに沿って移動する第１、第２突起部１２ａ、１３ａが設けられている。これにより、第１、第２レンズ枠１２、１３は、鏡胴１１内で回転することなく、回転軸３の軸方向に沿って第１、第２レンズ１４、１５と共に平行移動するように構成されている。
【００４４】
ズーム機構部１８は、図６〜図１０に示すように、回転軸３内における鏡胴１１の外周面に回転自在に設けられた回転筒１９と、この回転筒１９を回転させるためのズーム用のモータ２０とを備えている。回転筒１９は、図６に示すように、回転軸３内において鏡胴１１の外周面の所定位置にその軸方向に移動することなく回転可能に取り付けられており、この回転筒１９の内周面には、図７および図８に示すように、第１、第２螺旋溝１９ａ、１９ｂが軸方向に沿って設けられている。
【００４５】
この第１螺旋溝１９ａ内には、図６に示すように、第１レンズ枠１２の第１突起部１２ａが鏡胴１１のガイド孔１１ａを通して挿入されており、第２螺旋溝１９ｂには、第２レンズ枠１３の第２突起部１３ａが鏡胴１１のガイド孔１１ａを通して挿入されている。また、この回転筒１９の外周面には、従動歯車２１が設けられている。モータ２０は、図９および図１０に示すように、回転軸３の近傍に位置する第１ケース１内に固定され、その出力軸に駆動歯車２２が設けられ、これによりモータ２０の駆動回転が駆動歯車２２および後述する回転伝達部２３を介して従動歯車２１に伝達されるように構成されている。
【００４６】
従って、このズーム機構部１８は、モータ２０が駆動回転し、その回転が駆動歯車１６、回転伝達部２３、および従動歯車２１を介して回転筒１９に伝達されると、図６〜図８に示すように回転筒１９が回転し、この回転に伴って回転筒１９の第１、第２螺旋溝１９ａ、１９ｂが回転移動するので、このときに第１、第２螺旋溝１９ａ、１９ｂと鏡胴１１のガイド孔１１ａとが交差する個所において、回転筒１９の第１、第２螺旋溝１９ａ、１９ｂが第１、第２レンズ枠１３、１３の第１、第２突起部１２ａ、１３ａを鏡胴１１のガイド孔１１ａに沿って移動させ、第１、第２レンズ枠１３、１３を第１、第２レンズ１４、１５と共に回転軸３の軸方向に移動させるように構成されている。
【００４７】
この場合、ズーム機構部１８は、モータ２０が正回転して回転筒１９が図７に示す矢印Ｘ方向に回転すると、図８に示すように、第１螺旋溝１９ａが第１レンズ枠１２を撮像素子１７から離れる方向、つまり回転軸３から外部に向けて移動させると共に、第２螺旋溝１９ｂが第２レンズ枠１３を回転軸３から外部に向けて移動させながら第１レンズ枠１２に接近させ、これにより望遠状態にするように構成されている。また、このズーム機構部１８は、モータ２０が逆回転して回転筒１９が矢印Ｘ方向と反対方向に回転すると、図６および図７に示すように、第１、第２レンズ枠１３、１３が撮像素子１７に接近する方向、つまり回転軸３内に向けて移動し、第１、第２レンズ１４、１５を回転軸３の内部に格納するように構成されている。
【００４８】
一方、回転伝達部２３は、図９および図１０に示すように、モータ２０の駆動回転を撮影部４のズーム機構部１８に伝達する第１伝達車２４と、モータ２０の駆動回転を第２ケース２に設けられたリング歯車２６に伝達する第２伝達車２５と、モータ２０の駆動回転を撮影部４のズーム機構部１８と第２ケース２のリング歯車２６とのいずれか一方に伝達するための切替レバー２７とを備えている。この場合、第２ケース２のリング歯車２６は、図９および図１０に示すように、その内周面に内歯が設けられ、この状態で第２ケース２の下面に回転軸３を中心として設けられ、第１ケース１に設けられた円形状の開口部２８から第１ケース１内に挿入され、この状態で第２ケース２と共に回転軸３を中心として回転するように構成されている。
【００４９】
第１伝達車２４は、図１０に示すように、モータ２０の出力軸に設けられた駆動歯車２２に噛み合って回転する第１中間歯車３０と、この第１中間歯車３０が取り付けられて第１ケース１に回転自在に軸支された第１回転軸３１と、この第１回転軸３１に第１スリップ機構部３２を介して取り付けられ且つズーム機構部１８の従動歯車２１に噛み合って回転する第１伝達歯車３３とからなっている。この場合、第１伝達歯車３３は、所定以上の負荷が加わらない通常状態のときに、第１スリップ機構部３２がスリップせずに、第１回転軸３１の第１中間歯車３０と共に回転し、これによりモータ２０の駆動回転をズーム機構部１８の従動歯車２１に伝達してズーム機構部１８の回転筒１９を回転させ、また第１伝達歯車３３に所定以上の負荷が加わると、第１スリップ機構部３２がスリップし、これにより第１回転軸３１の第１中間歯車３０が空転し、モータ２０の駆動回転をズーム機構部１８の回転筒１９に伝達しないように構成されている。
【００５０】
第２伝達車２５は、図１０に示すように、モータ２０の出力軸に設けられた駆動歯車２２に噛み合って回転する第２中間歯車３５と、この第２中間歯車３５が取り付けられて第１ケース１に回転自在に軸支された第２回転軸３６と、この第２回転軸３６に第２スリップ機構部３７を介して取り付けられ且つ第２ケース２のリング歯車２６に噛み合って回転する第２伝達歯車３８とからなっている。この場合にも、第２伝達歯車３８は、所定以上の負荷が加わらない通常状態のときに、第２スリップ機構部３７がスリップせずに、第２回転軸３６の第２中間歯車３５と共に回転し、これによりモータ２０の駆動回転を第１ケース１のリング歯車２６に伝達して第２ケース２を第１ケース１に対し相対的に回転させ、また第２伝達歯車３８に所定以上の負荷が加わると、第２スリップ機構部３７がスリップし、これにより第２回転軸３６の第２中間歯車３５が空転し、モータ２０の駆動回転を第２ケース２のリング歯車２６に伝達しないように構成されている。
【００５１】
切替レバー２７は、第２ケース２に設けられた操作スイッチ８の操作に応じて、第１、第２伝達歯車３３、３８のいずれか一方を係脱可能に係止して所定以上の負荷を付与し、これによりモータ２０の駆動回転を第１、第２伝達歯車３３、３８のいずれか一方に伝達させるように構成されている。すなわち、この切替レバー２７は、図９および図１０に示すように、第１、第２伝達歯車３３、３８の近傍に配置され、操作スイッチ８が半分押された第１状態のときに、第１伝達歯車３３を係止し、モータ２０の駆動回転を第２伝達歯車３８に伝達させて、リング歯車２６と共に第２ケース２を第１ケース１に対し相対的に回転させ、また操作スイッチ８が完全に押し込まれた第２状態のときに、第１伝達歯車３３に対する係止を解除して第２伝達歯車３８を係止し、モータ２０の駆動回転を第１伝達歯車３３に伝達させて、ズーム機構部１８の回転筒１９を回転させるように構成されている。
【００５２】
ところで、回転軸３の近傍における第１、第２ケース１、２の対向面には、図２および図３に示すように、第１、第２ケース１、２の相対的な回転角度を検出する光センサ部３９が設けられている。この光センサ部３９は、第１ケース１に設けられた発光素子４０と、第２ケース２に設けられた複数の受光素子４１ａ〜４１ｃとからなっている。この場合、複数の受光素子４１ａ〜４１ｃは、発光素子４０の回転移動軌跡に対応する所定個所に設けられている。例えば、第１の受光素子４１ａは、第１、第２ケース１、２が互いに重なり合ったときに発光素子４０が対応する第１の位置に設けられ、第２の受光素子４１ｂは、第１、第２ケース１、２が相対的に約９０°回転したときに発光素子４０が対応する第２の位置に設けられ、第３の受光素子４１ｃは、第１、第２ケース１、２が相対的に約１８０°回転したときに発光素子４０が対応する第３の位置に設けられている。
【００５３】
これにより、光センサ部３９は、図１〜図３に示すように、第１、第２ケース１、２が互いに重なり合って閉じたときに、発光素子４０が第１の受光素子４１ａに対向して発光素子４０で発光した光を第１の受光素子４１ａで受光することにより、第１、第２ケース１、２が重なり合った状態であることを検知する。また、図４に２点鎖線で示すように、第１、第２ケース１、２が相対的に約９０°回転したときに発光素子４０が第２の受光素子４１ｂに対向して発光素子４０で発光した光を第２の受光素子４１ｂで受光することにより、第１、第２ケース１、２が約９０°開いた状態であることを検出する。さらに、図４に実線で示すように、第１、第２ケース１、２が相対的に約１８０°回転したときに発光素子４０が第３の受光素子４１ｃに対向して発光素子４０で発光した光を第３の受光素子４１ｃで受光することにより、第１、第２ケース１、２が約１８０°開いた状態であることを検知する。
【００５４】
次に、この携帯電話機の回路構成について、図１１を参照して説明する。
この携帯電話機の回路は、その回路全般を制御するＣＰＵ（中央演算処理装置）４５と、ＣＣＤなどの撮像素子１７からの画像信号を処理する画像処理回路４６と、撮影部４のズーム機構部１８を動作させると共に第１、第２ケース１、２を相対的に回転させるためのズーム用のモータ２０の駆動を制御するモータ駆動回路４７と、光センサ部３９を駆動してその受光素子４１ａ〜４１ｃからの検知信号を処理する検知回路４８と、操作スイッチ８およびシャッタスイッチ９のスイッチ操作に応じた電気信号を処理するスイッチ回路４９と、電話情報や撮影画像などの情報を表示する表示部５の駆動を制御する表示駆動回路５０と、操作部６およびキー入力部７からの入力信号を処理する入力処理回路５１と、通話情報や画像情報などの送信情報を処理してアンテナ１０に送ると共にアンテナ１０で受信した受信信号を処理する送受信回路５２とを備えている。
【００５５】
次に、この携帯電話機の表示切替制御処理およびズーム処理の動作フローについて、図１２および図１３を参照して説明する。
この携帯電話機の表示切替制御処理は、図１２に示すように、この処理フローがスタートすると、操作スイッチ８が操作されて半分押された第１状態であるかを判断する（ステップＳ１）。このとき、操作スイッチ８が操作されていなければ、操作スイッチ８が操作されるまで待機する。また、このステップＳ１で操作スイッチ８が操作されて半分押された第１状態になると、これに連動して回転伝達部２３の切替レバー２７が第１伝達歯車３３を係止して空回状態にすると共に、モータ２０の駆動回転を第２伝達車２５を介して第２ケース２のリング歯車２６に伝達可能な状態にし、この状態でモータ２０を駆動回転させて第２ケース２を第１ケース１に対し相対的に回転させる。
【００５６】
そして、第１、第２ケース１、２の相対的な回転角度が９０°以下であるかを判断する（ステップＳ２）。このときには、光センサ部３９の発光素子４０が複数の受光素子４１ａ〜４１ｃのいずれに対応して、受光素子４１ａ〜４１ｃのいずれが検知信号を出力したかにより、第１、第２ケース１、２の相対的な回転角度を判断する。すなわち、発光素子４０が第１の受光素子４１ａに対応し、その受光素子４１ａから検知信号が出力されたとき、または発光素子４０が第２の受光素子４１ｂに対応し、その受光素子４１ｂから検知信号が出力されたときには、第１、第２ケース１、２の相対的な回転角度が９０°以下と判断し、表示部５の表示状態を横長状態に切り替え（ステップＳ３）、このフローを終了する。また、光センサ部３９の発光素子４０が第３の受光素子４１ｃに対応し、その受光素子４１ｃから検知信号が出力されると、第１、第２ケース１、２の相対的な回転角度が１８０°と判断し、表示部５の表示状態を縦長状態に切り替え（ステップＳ４）、このフローを終了する。
【００５７】
また、この携帯電話機のズーム制御処理は、図１３に示すように、この処理フローがスタートすると、操作スイッチ８が操作されて完全に押し込まれた第２状態であるかを判断する（ステップＳ５）。このとき、操作スイッチ８が完全に押し込まれた第２状態でなければ、このフローを終了する。また、操作スイッチ８が完全に押し込まれた第２状態になると、これに連動して回転伝達部２３の切替レバー２７が第２伝達歯車３８を係止して空回状態にすると共に、モータ２０の駆動回転を第１伝達車２４によってズーム機構部１８の回転筒１９に伝達可能な状態にする。この状態で、モータ２０を駆動回転させて撮影部４のズーム機構部１８をズーム制御する（ステップＳ６）。
【００５８】
このときには、図６および図７に示すように、撮影部４のズーム機構部１８のモータ２０を正回転させ、このモータ２０の回転が駆動歯車２２、回転伝達部２３の第１伝達車２４、および従動歯車２１を介して回転筒１９に伝達されると、図６に示す状態の回転筒１９が図７に示す矢印Ｘ方向に回転する。これにより、回転筒１９の第１、第２螺旋溝１９ａ、１９ｂが回転移動して第１、第２レンズ枠１２、１３の第１、第２突起部１２ａ、１３ａを鏡胴１１のガイド孔１１ａに沿って撮像素子１７と反対側に向けて移動させるので、第１、第２レンズ枠１２、１３が第１、第２レンズ１４、１５と共に回転軸３の外部に向けて移動し、第１レンズ１４を回転軸３の外部に突出させて望遠状態にし、このフローを終了する。
【００５９】
次に、このような携帯電話機を使用する場合について説明する。この携帯電話機では、電話機能と撮影機能とを備えているので、電話機能によって通信をすることができると共に、撮影機能によって被写体を撮影することができ、この撮影した被写体の画像を表示部５に表示させて見ることができる。すなわち、電話機能で通信する場合には、図４および図５に実線で示すように、回転軸３を中心に第１、第２ケース１、２をその各面方向に沿って相対的にほぼ１８０°回転させて、第１、第２ケース１、２を互いに開く。これにより、図４に実線で示すように、第２ケース２のキー入力部７が第１ケース１の表示部５の表示面と同じ向きで露出する。この状態で、操作部６およびキー入力部７を入力操作して通信相手と通話したり、通信相手にメールを送信したり、あるいは後述するように撮影した被写体の画像を送信したりすることができる。
【００６０】
また、撮影部４で被写体を撮影する場合には、図１〜図３に示すように、第１、第２ケース１、２を互いに重ね合わせて閉じ、この状態で第１、第２ケース１、２を横向きにしてその両側から両手で挟むように掴む。このときには、第１ケース１の表示部５を使用者側に向けると、回転軸３内に設けられた撮影部４が被写体側に向く。この状態で、回転軸３の近傍に位置する第２ケース２の側面に設けられた操作スイッチ８を完全に押し込んだ第２状態にすると、ズーム機構部１８のモータ２０が駆動回転して、第１、第２レンズ１４、１５を回転軸３から外部に向けて移動させるので、撮影部４が望遠状態になる。
【００６１】
すなわち、操作スイッチ８が完全に押し込まれると、この操作スイッチ８に連動して、図９および図１０に示すように、回転伝達部２３の切替レバー２７が第２伝達歯車３８を係止して空回状態にすると共に、モータ２０の駆動回転が第１伝達車２４によってズーム機構部１８の回転筒１９に伝達可能な状態になる。そして、図６および図７の状態（図２（Ａ）参照）で、ズーム機構部１８のモータ２０が正回転し、このモータ２０の正回転が駆動歯車２２、回転伝達部２３の第１伝達車２４、および従動歯車２１を介して回転筒１９に伝達され、回転筒１９が図７に示す矢印Ｘ方向に回転する。
【００６２】
これにより、回転筒１９の第１、第２螺旋溝１９ａ、１９ｂが回転移動し、図８に示すように、第１、第２螺旋溝１９ａ、１９ｂが第１、第２レンズ枠１２、１３の第１、第２突起部１２ａ、１３ａをそれぞれ鏡胴１１のガイド孔１１ａに沿って移動させるので、第１、第２レンズ枠１２、１３が第１、第２レンズ１４、１５と共に回転軸３の外部に向けて移動し（図２（Ｂ）参照）、撮影部４が望遠状態になる。このときには、第１、第２レンズ１４、１５によって撮像素子１７に投影された被写体の画像が撮像素子１７で電気信号に変換されて画像信号として取り込まれ、この取り込まれた画像信号に基づいて表示部５に被写体の画像が表示されるので、この表示された画像を見ながらシャッタスイッチ９を操作することにより、被写体を撮影することができる。
【００６３】
また、この携帯電話機では、必ずしも第１、第２ケース１、２を互いに重ね合わせて閉じた状態で撮影する必要はなく、第１、第２ケース１、２を相対的に面方向に回転させて開いた状態、例えば図４および図５に２点鎖線または実線で示すように、第１、第２ケース１、２を相対的に９０°または１８０°回転させて開いた状態でも撮影することができる。このときには、第２ケース２の背面側に左手の掌を当てがって第２ケース２を左手で掴むと、左手の親指が操作スイッチ８およびシャッタスイッチ９に接触する位置に配置されるので、片手で第２ケース２を持った状態で容易に操作スイッチ８およびシャッタスイッチ８を操作することができる。
【００６４】
このため、この状態で操作スイッチ８を半分押した第１状態にすると、回転伝達部２３の切替レバー２７が第１伝達歯車３３を係止して、モータ２０の駆動回転を第２伝達車２５を介して第２ケース２のリング歯車２６に伝達するので、図４および図５に示すように第１、第２ケース１、２が相対的に回転して開く。この状態で、操作スイッチ８を完全に押し込んだ第２状態にすると、ズーム機構部１８のモータ２０が駆動されて撮影部４を望遠状態にする。この後、シャッタスイッチ９を押すことにより被写体を撮影することができる。このときにも、被写体の画像を表示部５に表示させ、この表示された画像を見ながら被写体を撮影することができる。
【００６５】
このように、この携帯電話機によれば、第１、第２ケース１、２を回転可能に取り付ける回転軸３内にズーム機構部１８を有する撮影部４をその撮影方向を表示部５の表示面と反対側に向けて設け、このズーム機構部１８をモータ２０の駆動回転によって回転軸３の軸方向に沿ってズーム移動させるので、表示部５に表示された被写体の画像を見ながら被写体の撮影範囲を調節することができると共に、操作スイッチ８の操作に応答して回転伝達部２３がモータ２０の駆動回転を第２ケース２に伝達して回転軸３を中心に第１、第２ケース１、２を相対的に回転させるので、第１、第２ケース１、２をワンタッチ操作で簡単に且つ自動的に開閉させることができ、しかもズーム機構部１８の駆動源を利用しているので、第１、第２ケース１、２を相対的に回転させるための専用駆動源が不要となり、これにより駆動源の数を最小限に抑えることができるので、低コスト化をも図ることができる。
【００６６】
この場合、特に撮影部４を第１、第２ケース１、２の回転中心である回転軸３内にその軸方向に沿ってズーム移動可能に設けたので、撮影部４がズーム機能を有していても、第１ケース１の表示部５および第２ケース２のキー入力部７が撮影部４によって制約を受けることがなく、表示部５およびキー入力部７の各設置領域を第１、第２ケース１、２にそれぞれ十分に確保することができる。この場合、回転軸３の一端部が第１ケース１の正面側に露出することなく、第１ケース１内に設けられているので、この回転軸３に対応する個所の第１ケース１の正面に操作部６を配置することができ、これによりキー入力部７の設置領域を、より一層、広くすることができる。
【００６７】
また、この携帯電話機では、第１、第２ケース１、２を互いに重ね合わせて閉じた状態で外部に露出する第１ケース１の外表面に表示部５を設けているので、回転軸３を中心に第１、第２ケース１、２をその面方向に回転させて互いに重ね合わせて閉じた状態でも、また回転軸３を中心に第１、第２ケース１、２をその面方向に回転させて互いに開いた状態でも、表示部５の表示面を常に外部に露出させることができ、これにより表示部５に表示された情報をいつでも自由に見ることができる。特に、撮影部４はその撮影方向を表示部５の表示面と反対側に向けて回転軸３に設けられているので、第１、第２ケース１、２を互いに重ね合わせて閉じた状態でも、また第１、第２ケース１、２を面方向に互いに開いた状態でも、撮影時に表示部５に表示された被写体の画像を見ながら良好に撮影することができ、これにより使い勝手の良いものを得ることができる。
【００６８】
この場合、キー入力部７が表示部５の表示面と同じ方向を向いて第２ケース２に設けられていることにより、第１、第２ケース１、２を互いに面方向に回転させて開いた状態のときに、キー入力部７が表示部５の表示面と同じ向きに露出するので、表示部５を見ながらキー入力部７をキー操作することができる。また、第１、第２ケース１、２を互いに重ね合わせて閉じると、キー入力部７の表面に第１ケース１が重なって配置されるので、この第１ケース１によってキー入力部７を保護することができ、このため第１、第２ケース１、２を互いに重ね合わせて閉じた状態で携帯するときに、キー入力部７の誤動作を防ぐことができる。
【００６９】
さらに、操作スイッチ８およびシャッタスイッチ９が第２ケース２の側面に設けられているので、操作スイッチ８およびシャッタスイッチ９が表示部５やキー入力部７を制約することがなく、これによっても表示部５およびキー入力部７の設置領域を十分に確保することができるほか、特に操作スイッチ８およびシャッタスイッチ９が常に外部に露出するので、第１、第２ケース１、２を重ね合わせて閉じた状態でも、また第１、第２ケース１、２を相対的に面方向に回転させて開いた状態でも、操作スイッチ８およびシャッタスイッチ９を良好に操作することができる。
【００７０】
この場合、操作スイッチ８およびシャッタスイッチ９は、回転軸３の近傍に位置する第２ケース２の側面に設けられていることにより、図１に示すように第１、第２ケース１、２を重ね合わせて閉じた状態で、これらを両手で持っても、また図４に示すように第１、第２ケース１、２を相対的に面方向に回転させて開いた状態で、第２ケース２をその背面側から片手で持っても、その手の指を操作スイッチ８およびシャッタスイッチ９に容易に接触させることができ、このため撮影時に操作スイッチ８およびシャッタスイッチ９を良好に且つ確実に操作することができる。
【００７１】
また、操作スイッチ８は、半分押された第１状態のときに、回転伝達部２３の切替レバー２７が第１伝達歯車３３を係止して空回状態にすると共に、モータ２０の駆動回転を第２伝達車２５によって第２ケース２のリング歯車２６に伝達させて第１、第２ケース１、２を相対的に回転させることができ、また完全に押し込まれた第２状態のときに、切替レバー２７が第２伝達歯車３８を係止して空回状態にすると共に、モータ２０の駆動回転を第１伝達車２４によって撮影部４のズーム機構部１８に伝達してズーム機構部１８をズーム動作させ、これにより撮影部４を望遠状態にし、被写体の撮影範囲を調節して被写体のアングルを設定することができる。このため、一つの操作スイッチ８で第１、第２ケース１、２の開閉動作とズーム機構部１８のズーム動作とを選択することができ、これによりワンタッチ操作で第１、第２ケース１、２を開閉させたり、ズーム機構部１８をズーム動作させたりすることができると共に、スイッチの個数を最小限にすることができ、これによっても部品点数の削減および低コスト化を図ることができる。
【００７２】
さらに、この携帯電話機では、回転軸３を中心に第１、第２ケース１、２を回転させて互いに重ね合わせて閉じた状態、および第１、第２ケース１、２を相対的に９０°回転させて開いた状態のときに、第１ケース１の表示部５が横長表示に切り替わり、回転軸３を中心に第１、第２ケース１、２を相対的に１８０°回転させて開いた状態のときに、第１ケース１の表示部５が縦長表示に切り替わるので、第１、第２ケース１、２を互いに重ね合わせた状態、および第１、第２ケース１、２を相対的に９０°回転させて開いた状態で撮影するときに、被写体の画像を横長状態で見ることができ、また第１、第２ケース１、２を相対的に１８０°回転させて開いた状態で撮影するときに、被写体の画像を縦長状態で見ることができる。
【００７３】
これにより、第１、第２ケース１、２の開き角度に応じて表示部５の表示形態が自動的に縦向表示または横向表示に切り替わるので、撮影時に第１、第２ケース１、２の開き角度が変化しても、表示部５に表示される画像などの情報を見やすくすることができる。この場合、特に操作スイッチ８が半分押された第１状態のときには、撮影部４のズーム機構部１８をズーム移動させるモータ２０の駆動回転を回転伝達部２３によって第２ケース２のリング歯車２６に伝達させるのと同時に、第１、第２ケース１、２の相対的な回転角度を光センサ部３９で検出し、その検出信号に基づいて表示部５の表示形態をＣＰＵ４５で制御するので、ワンタッチ操作で第１、第２ケース１、２を簡単に開閉させることができると共に、第１、第２ケース１、２の開き角度に応じて表示部５の表示形態を自動的に縦向表示または横向表示に切り替えることができ、これによっても使い勝手の良いものを得ることができる。
また、外部操作子が第１ケースの表示部と同じ外表面に設けられていることにより、第１、第２ケースをその面方向に回転させて重ね合わせて閉じた状態でも、また回転軸を中心に第１、第２ケースをその面方向に回転させて開いた状態でも、外部操作子を常に外部に露出させることができ、これにより外部操作子をいつでも自由に操作することができるので、使い勝手が良い。
（第２実施形態）
【００７４】
次に、図１４および図１５を参照して、この発明を携帯電話機に適用した第２実施形態について説明する。なお、図１〜図１３に示された第１実施形態と同一部分には同一符号を付して説明する。
この携帯電話機は、撮影部５５が望遠機能と広角機能との両方の機能を有する構造で、これ以外は第１実施形態とほぼ同じ構造になっている。すなわち、この撮影部５５は、第１レンズ１４を保持する第１レンズ枠１２と、第２レンズ１５を保持する第２レンズ枠１３とをそれぞれ軸方向に沿って移動させるズーム機構部５６が第１実施形態のズーム機構部１８と異なる構造になっている。
【００７５】
このズーム機構部５６は、鏡胴１１の外周面に回転可能に設けられた回転筒１９の内周面に、第１レンズ枠１２の第１突起部１２ａを移動させる第１螺旋溝５７と、第２レンズ枠１３の第２突起部１３ａを移動させる第２螺旋溝５８とを設けた構造になっている。この場合、第１螺旋溝５７は、モータ２０の正回転によって回転筒１９が図１４に示す矢印Ｘ方向に回転したときに、図１５に示すように第１レンズ枠１２を回転軸３から外部に向けて移動させるように構成されている。また、第２螺旋溝５８は、モータ２０の正回転によって回転筒１９が図１４に示す矢印Ｘ方向に回転したときに、図１５に示すように第２レンズ枠１３を回転軸３から外部に向けて移動させながら、第１レンズ枠１２に接近させた後、第２レンズ枠１３が第１レンズ枠１２から次第に離れるように構成されている。
【００７６】
これにより、このズーム機構部５６は、第１、第２レンズ枠１２、１３が回転軸３から外部に向けて移動しながら、第２レンズ枠１３が第１レンズ枠１２に接近することにより、望遠状態となり、また第１、第２レンズ枠１２、１３が回転軸３から外部に向けて移動しながら、第２レンズ枠１３が第１レンズ枠１２から回転軸３内の撮像素子１７側に向けて離れることにより、広角状態になるように構成されている。なお、この第２実施例では、シャッタスイッチ９の近傍に、ズーム機能の切替スイッチ（図示せず）を設け、この切替スイッチによって望遠機能と広角機能とを切り替えるように構成されている。
【００７７】
このような携帯電話機では、第１実施形態と同様の作用効果があるほか、特に切替スイッチを操作して望遠機能を選択したときには、ズーム機構部５６のモータ２０が正回転して回転筒１９を回転させると、この回転筒１９の第１、第２螺旋溝５７、５８が第１、第２レンズ枠１２、１３を回転軸３の外部に向けて移動させながら、第２レンズ枠１３を第１レンズ枠１２に接近させるので、望遠状態となり、これにより望遠撮影ができる。また、切替スイッチを操作して広角機能を選択したときには、ズーム機構部５６のモータ２０が正回転して回転筒１９を回転させると、この回転筒１９の第１、第２螺旋溝５７、５８が第１、第２レンズ枠１２、１３を回転軸３の外部に向けて移動させながら、第２レンズ枠１３を第１レンズ枠１２に一旦接近させた後に第１レンズ枠１２から撮像素子１７側に向けて離すので、広角状態となり、これにより広角撮影ができる。
（第３実施形態）
【００７８】
次に、図１６を参照して、この発明を携帯電話機に適用した第３実施形態について説明する。この場合にも、図１〜図１３に示された第１実施形態と同一部分には同一符号を付して説明する。
この携帯電話機は、操作スイッチ６０を第１ケース１の外表面に設けた構造で、これ以外は第１実施形態とほぼ同じ構造になっている。すなわち、この操作スイッチ６０は、図１６に示すように、第１実施形態の操作部６のジォグダイヤルと兼用したスイッチであり、第１ケース１の表示部５と同じ外表面における操作部６の設置領域内で且つ回転軸３に対応する個所に設けられ、半分押された第１状態のときに第１、第２ケース１、２を開閉動作させ、完全に押し込まれた第２状態のときに撮影部４のズーム機能を動作させるように構成されている。
【００７９】
このような携帯電話機においても、第１実施形態と同様の作用効果があるほか、特に操作スイッチ６０を操作部６のジォグダイヤルと兼用したので、第１実施例の場合よりも更にスイッチの個数を削減することができると共に、操作スイッチ６０が第１ケース１の表示部５と同じ外表面に設けられているので、第１、第２ケース１、２をその面方向に回転させて重ね合わせて閉じた状態でも、また回転軸を中心に第１、第２ケース１、２をその面方向に回転させて互いに開いた状態でも、操作スイッチ６０を常に外部に露出させることができ、これにより操作スイッチ６０をいつでも自由に操作することができるので、これによっても使い勝手の良いものを得ることができる。
【００８０】
なお、上記第１〜第３実施形態では、操作スイッチ８、６０およびシャッタスイッチ９を回転軸３の近傍における第２ケース２の上辺側の上側面、または第１ケース１の正面における回転軸３に対応する個所に設けた場合について述べたが、必ずしも回転軸３の近傍に設ける必要はなく、操作しやすい個所であれば、第１、第２ケース１、２のいずれの個所に設けても良い。
【００８１】
また、上記第１〜第３実施形態では、撮影部４、５５のズーム機構部１８、５６を駆動するモータ２０と、その駆動回転をズーム機構部１８、５５と第２ケース２のリング歯車２６のいずれかに伝達する回転伝達部２３とを、第１ケース１内に設けた場合について述べたが、これに限らず、第２ケース２内に設けても良く、また回転軸３に第１ケース１を固定して第２ケース２を回転自在に取り付けたが、これに限らず、回転軸３に第２ケース２を固定して第１ケース１を回転自在に取り付けた構造でも良い。
【００８２】
さらに、上記第１〜第３実施形態では、第１、第２ケース１、２の相対的な回転角度を検出する検出手段として、発光素子４０と複数の受光素子４１ａ〜４１ｃとからなる光センサ部３９を用いた場合について述べたが、これに限らず、回転軸３に第１、第２ケース１、２の相対的な回転角度を検出するエンコーダを設けた構成でも良い。
【００８３】
また、上記第１〜第３実施形態では、第１ケース１に操作部６を設けた場合について述べたが、これに限らず、例えば第２ケース２にキー入力部７と共に操作部６を設けた構造でも良い。このようにすれば、表示部５の表示面積を広くすることができる。
【００８４】
また、上記第１〜第３実施形態では、第１、第２ケース１、２が回転軸３により互いに対向する第１、第２ケース１、２の各面方向に沿って回転するように構成されている場合について述べたが、これに限らず、第１、第２ケース１、２を回転軸３により互いに起立横倒する方向に回動可能に取り付けた折り畳み式の構造にしても良い。
【００８５】
さらに、上記第１〜第３実施形態では、携帯電話機に適用した場合について述べたが、これに限らず、例えばＰＤＡ（パーソナル・デジタル・アシスタント）などの携帯端末機にも適用することができる。
【図面の簡単な説明】
【００８６】
【図１】この発明を携帯電話機に適用し、その携帯電話機を閉じた状態の正面図で              ある。（第１実施形態）
【図２】図１を上方から見た図で、（Ａ）は撮影部を格納した状態の平面図であり、              （Ｂ）は第１ケースと第２ケースとを開いた状態で、撮影部をズーム駆動              させた状態の平面図である。
【図３】図１の背面図である。
【図４】図１の携帯電話機を開いた状態の正面図である。
【図５】図４の背面図である。
【図６】図２（Ｂ）のうち、撮影部を示した要部の拡大断面図である。
【図７】図６の撮影部において鏡胴のガイド孔と第１、第２レンズ枠の第１、第２              突起部と回転筒の第１、第２螺旋溝との関係を示した断面図である。
【図８】図７の撮影部においてズーム状態を示した断面図である。
【図９】図６のズーム機構部と第２ケースのリング歯車とにモータの回転を伝達す              る回転伝達部を概略的に示した平面図である。
【図１０】図９のＡ−Ａ矢視における要部の拡大断面図である。
【図１１】図１の携帯電話機の回路構成を示したブロック図である。
【図１２】図１０における表示部の表示切替制御処理の動作フローを示した図である。
【図１３】図１０における撮影部のズーム制御処理の動作フローを示した図である。
【図１４】この発明を携帯電話機に適用した撮影部の拡大断面図である。（第２実                施形態）
【図１５】図７の撮影部においてズーム状態を示した拡大断面図である。
【図１６】この発明を携帯電話機に適用し、その携帯電話機を開いた状態の正面図                である。（第３実施形態）
【符号の説明】
【００８７】
１  第１ケース
２  第２ケース
３  回転軸
４、５５  撮影部
５  表示部
６  操作部
７  キー入力部
８、６０  操作スイッチ
９  シャッタスイッチ
１０  アンテナ
１１  鏡胴
１１ａ  ガイド孔
１２、１３  第１、第２レンズ枠
１２ａ、１３ａ  第１、第２突起部
１４、１５  第１、第２レンズ
１７  撮像素子
１８、５６  ズーム機構
１９  回転筒
１９ａ、５７  第１螺旋溝
１９ｂ、５８  第２螺旋溝
２０  モータ
３９  光センサ部
４５  ＣＰＵ
４６  画像処理回路
４７  モータ駆動回路
４８  検知回路
４９  スイッチ回路
５０  表示駆動回路
５１  入力処理回路
【図１】
2005043710.tif 000003
【図２】
2005043710.tif 000004
【図３】
2005043710.tif 000005
【図４】
2005043710.tif 000006
【図５】
2005043710.tif 000007
【図６】
2005043710.tif 000008
【図７】
2005043710.tif 000009
【図８】
2005043710.tif 000010
【図９】
2005043710.tif 000011
【図１０】
2005043710.tif 000012
【図１１】
2005043710.tif 000013
【図１２】
2005043710.tif 000014
【図１３】
2005043710.tif 000015
【図１４】
2005043710.tif 000016
【図１５】
2005043710.tif 000017
【図１６】
2005043710.tif 000018